【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
顧客施設機器（ＣＰＥ）によって、１つまたは複数のシングルエンドラインテスト（ＳＥＬＴ）手順を実行することに関連付けられた設定パラメータを受信することと、
前記ＣＰＥによって、前記ＣＰＥと中央局（ＣＯ）機器との間で通信するためのループのＣＯ側でライン途絶を検出することと、
前記ＣＰＥによって、および、前記決定されたライン途絶に少なくとも部分的に基づいて、第１のＳＥＬＴ手順を実行することと、前記第１のＳＥＬＴ手順は、顧客施設側ラインに向けられ、再トレーニング手順の前に実行される、
前記ＣＰＥによって、前記１つまたは複数の実行されたＳＥＬＴ手順の結果得られた診断データを収集することと、
を備える方法。
【請求項２】
前記第１のＳＥＬＴ手順はループトポロジ測定を備える、請求項１に記載の方法。
【請求項３】
前記第１のＳＥＬＴ手順は、前記ＣＰＥに結合された前記顧客施設側ラインで前記ＣＰＥからシンボルを送信することと、前記ＣＰＥにおいて反射を測定することとを含む、請求項２に記載の方法。
【請求項４】
前記測定された反射は、Ｓ１１データを備える、請求項３に記載の方法。
【請求項５】
前記第１のＳＥＬＴ手順は、静寂ラインノイズ測定を備える、請求項１に記載の方法。
【請求項６】
前記ＣＰＥによって、前記ＣＰＥの電源投入中に、前記１つまたは複数のＳＥＬＴ手順のうちの第２のＳＥＬＴ手順を実行すること
をさらに備える、請求項１に記載の方法。
【請求項７】
前記ＣＰＥによって、前記１つまたは複数のＳＥＬＴ手順を定期的に実行すること
をさらに備える、請求項１に記載の方法。
【請求項８】
前記ＣＰＥによって、第３のＳＥＬＴ手順を実行するための時間ウィンドウが到来したと決定することと、
前記ＣＰＥによって、および、前記時間ウィンドウの前記決定された到来に少なくとも部分的に基づいて、ユーザトラフィックのための前記ループをモニタすることと、
前記ループをモニタする間にユーザトラフィックが検出されない場合、前記第３のＳＥＬＴ手順を実行するために前記ＣＰＥをオフラインにすることと
をさらに備える、請求項１に記載の方法。
【請求項９】
前記ＣＰＥによって、第４のＳＥＬＴ手順を直ちに実行する指示を受信すること
をさらに備える、請求項１に記載の方法。
【請求項１０】
第５のＳＥＬＴ手順を直ちに実行するように前記ＣＰＥをローカルに設定すること
をさらに備える、請求項１に記載の方法。
【請求項１１】
前記ＣＰＥによって、前記設定パラメータを記憶すること
をさらに備える、請求項１に記載の方法。
【請求項１２】
前記設定パラメータを受信することは、ＣＰＥ  ＷＡＮ管理プロトコル（ＣＷＭＰ）に準拠して通信することを備える、請求項１１に記載の方法。
【請求項１３】
前記ＣＰＥによって、前記収集された診断データを記憶することと、
前記ＣＰＥがオンラインである場合、前記収集された診断データを前記ＣＯ機器へ通信することと、
をさらに備える、請求項１に記載の方法。
【請求項１４】
前記収集された診断データを、ローカルインターフェースを介して技術者へ通信すること、をさらに備える、請求項１に記載の方法。
【請求項１５】
通信デバイスであって、
プロセッサと、前記プロセッサに通信的に結合されたメモリとを備え、前記メモリは、コンピュータ可読コードを備え、前記コンピュータ可読コードは、前記プロセッサによって実行されると、前記通信デバイスに、
１つまたは複数のシングルエンドラインテスト（ＳＥＬＴ）手順を実行することに関連付けられた設定パラメータを受信することと、
前記通信デバイスと中央局（ＣＯ）機器との間で通信するためのループのＣＯ側で、ライン途絶を検出することと、
前記決定されたライン途絶に少なくとも部分的に基づいて、第１のＳＥＬＴ手順を実行することと、前記第１のＳＥＬＴ手順は、顧客施設側ラインに向けられ、再トレーニング手順の前に実行される、
前記１つまたは複数の実行されたＳＥＬＴ手順の結果得られた診断データを収集することと、
を行わせる、通信デバイス。
【請求項１６】
前記コンピュータ可読コードは、前記プロセッサによって実行されると、前記通信デバイスに、
前記ＣＰＥの電源投入中に、前記１つまたは複数のＳＥＬＴ手順の第２のＳＥＬＴ手順を実行すること
をさらに行わせ、前記第１のＳＥＬＴ手順は、ループトポロジ測定を備える、請求項１５に記載の通信デバイス。
【請求項１７】
前記コンピュータ可読コードは、前記プロセッサによって実行されると、前記通信デバイスに、
前記１つまたは複数のＳＥＬＴ手順を定期的に実行すること
をさらに行わせる、請求項１５に記載の通信デバイス。
【請求項１８】
前記コンピュータ可読コードは、前記プロセッサによって実行されると、前記通信デバイスに、
第３のＳＥＬＴ手順を実行するための時間ウィンドウが到来したと決定することと、
前記時間ウィンドウの前記決定された到来に少なくとも部分的に基づいて、ユーザトラフィックのための前記ループをモニタすることと、
前記ループをモニタする間にユーザトラフィックが検出されない場合、前記第３のＳＥＬＴ手順を実行するために前記ＣＰＥをオフラインにすることと
をさらに行わせる、請求項１５に記載の通信デバイス。
【請求項１９】
前記コンピュータ可読コードは、前記プロセッサによって実行されると、前記通信デバイスに、
前記ＣＰＥによって、第４のＳＥＬＴ手順を直ちに実行する指示を受信する、第４のＳＥＬＴ手順を直ちに実行する指示を受信すること
をさらに行わせる、請求項１５に記載の通信デバイス。
【請求項２０】
前記コンピュータ可読コードは、前記プロセッサによって実行されると、前記通信デバイスに、
第５のＳＥＬＴ手順を直ちに実行するように前記ＣＰＥをローカルに設定すること
をさらに行わせる、請求項１５に記載の通信デバイス。
【請求項２１】
前記コンピュータ可読コードは、前記プロセッサによって実行されると、前記通信デバイスに、
前記収集された診断データを記憶することと、
前記ＣＰＥ通信デバイスがオンラインである場合、前記収集された診断データを前記ＣＯ機器へ通信することと
をさらに行わせる、請求項１５に記載の通信デバイス。
【手続補正２】
【補正対象書類名】明細書
【補正対象項目名】００２６
【補正方法】変更
【補正の内容】
【００２６】
[0033]本発明は、その好適な実施形態を参照して特に記載されているが、形式および詳細における変更および修正が、本発明の精神および範囲から逸脱されることなくなされ得ることが、当業者に、容易に明らかであるべきである。添付された特許請求の範囲は、そのような変更および修正を含むことが意図されている。
以下に本願発明の当初の特許請求の範囲に記載された発明を付記する。
［Ｃ１］
設定パラメータに従ってシングルエンドラインテスト（ＳＥＬＴ）手順を開始するように顧客施設機器（ＣＰＥ）を設定することと、
前記ＣＰＥがオフラインである場合、前記設定パラメータに従って、前記ＣＰＥに対して、前記ＳＥＬＴ手順を実行させることと、
前記ＣＰＥにおいて、前記実行されたＳＥＬＴ手順の結果得られた診断データを収集することと、を備える方法。
［Ｃ２］
前記ＳＥＬＴ手順はループトポロジ測定を備える、Ｃ１に記載の方法。
［Ｃ３］
前記ＳＥＬＴ手順は、前記ＣＰＥに結合されたラインで前記ＣＰＥからシンボルを送信することと、前記ＣＰＥにおいて反射を測定することとを含む、Ｃ２に記載の方法。
［Ｃ４］
前記測定された反射は、Ｓ１１データを備える、Ｃ３に記載の方法。
［Ｃ５］
前記ＳＥＬＴ手順は、静寂ラインノイズ測定を備える、Ｃ１に記載の方法。
［Ｃ６］
設定することは、前記ＣＰＥの電源投入中に、前記ＳＥＬＴ手順を実行するように、前記ＣＰＥを設定することを含む、Ｃ１に記載の方法。
［Ｃ７］
設定することは、ライン途絶後、再トレーニングを試みる前に、前記ＳＥＬＴ手順を自主的に実行するように前記ＣＰＥを設定することを含む、Ｃ１に記載の方法。
［Ｃ８］
設定することは、前記ＳＥＬＴ手順を定期的に実行するように前記ＣＰＥを設定することを含む、Ｃ１に記載の方法。
［Ｃ９］
実行させることは、前記ＳＥＬＴ手順を実行するための時間ウィンドウが到来したと決定することと、前記ＳＥＬＴ手順を実行するために前記ＣＰＥをオフラインにすることとを含む、Ｃ８に記載の方法。
［Ｃ１０］
前記ＣＰＥをオフラインとする前に、ユーザトラフィックをモニタすること、をさらに備えるＣ９に記載の方法。
［Ｃ１１］
設定することは、前記ＳＥＬＴ手順を直ちに実行するように前記ＣＰＥを遠隔的に設定することを含む、Ｃ１に記載の方法。
［Ｃ１２］
設定することは、前記ＳＥＬＴ手順を直ちに実行するように前記ＣＰＥをローカルに設定することを含む、Ｃ１に記載の方法。
［Ｃ１３］
設定することは、前記設定パラメータを、中央局（ＣＯ）から前記ＣＰＥへ送ることと、前記ＣＰＥにおいて前記設定パラメータを記憶することとを含む、Ｃ１に記載の方法。
［Ｃ１４］
送ることは、ＣＰＥ ＷＡＮ管理プロトコル（ＣＷＭＰ）に準拠した通信を備える、Ｃ１３に記載の方法。
［Ｃ１５］
前記収集された診断データを前記ＣＰＥにおいて記憶することと、前記ＣＰＥがオンラインである場合、前記収集された診断データを、中央局（ＣＯ）へ通信することと、をさらに備えるＣ１に記載の方法。
［Ｃ１６］
前記収集された診断データを、ローカルインターフェースを介して技術者へ通信すること、をさらに備えるＣ１に記載の方法。